(57)【要約】【課題】転送時の優先順位を設定して、外部機器から画像ファイルを取得すること。【解決手段】表示制御部１０３ａは、接続ＩＦ１０２を介して接続されている表示用画像と本画像とを含む複数の画像ファイルが記録されている外部機器から、表示用画像を受信して一覧表示し、一覧表示した表示用画像に対して、使用者からの指示に基づいて、外部機器から画像ファイルを取得する際の優先順位を設定する。画像取得部１０３ｂは、外部機器からの画像ファイルの転送順が、設定した優先順位に基づく転送順となるように、外部機器から画像ファイルを取得する。【選択図】図１
2009048520.tif 000002
【特許請求の範囲】
【請求項１】
表示用画像と本画像とを含む複数の画像ファイルが記録されている外部機器から、前記表示用画像を受信して一覧表示する表示制御手順と、
一覧表示した前記表示用画像に対して、使用者からの指示に基づいて、前記外部機器から前記画像ファイルを取得する際の優先順位を設定する優先順位設定手順と、
設定した前記優先順位に基づく転送順で前記外部機器から前記画像ファイルを取得する画像ファイル取得手順とをコンピュータで実行するための画像転送プログラム。
【請求項２】
請求項１に記載の画像転送プログラムにおいて、
前記優先順位設定手順は、一覧表示した前記表示用画像の中から、使用者によって選択された前記表示用画像に対応する画像ファイルのみを取得対象とし、前記取得対象の画像ファイルのファイル名を、前記画像ファイルの転送順を管理するための待ち行列に登録し、前記待ち行列への登録順に基づいて前記画像ファイルを取得する際の優先順位を設定することを特徴とする画像転送プログラム。
【請求項３】
請求項２に記載の画像転送プログラムにおいて、
前記優先順位設定手順は、使用者によって、一覧表示した前記表示用画像のそれぞれに対応付けて表示されているチェックボックスにチェックが入れられたときに、その表示用画像に対応する画像ファイルのファイル名を前記待ち行列の最後に登録することを特徴とする画像転送プログラム。
【請求項４】
請求項２または３に記載の画像転送プログラムにおいて、
前記優先順位設定手順は、使用者によって、一覧表示した前記表示用画像の内、いずれかの前記表示用画像がダブルクリックされた場合には、そのダブルクリックされた前記表示用画像に対応する画像ファイルのファイル名を前記待ち行列の先頭に登録することを特徴とする画像転送プログラム。
【請求項５】
請求項２〜４のいずれか一項に記載の画像転送プログラムにおいて、
前記優先順位設定手順は、使用者によって、複数の前記表示用画像が選択された後、選択されたいずれかの前記表示用画像に対応付けて表示されたチェックボックスにチェックが入れられたときに、選択された全ての前記表示用画像に対応する画像ファイルのファイル名を前記待ち行列に既に登録されている前記ファイル名の後に登録することを特徴とする画像転送プログラム。
【請求項６】
請求項２〜５のいずれか一項に記載の画像転送プログラムにおいて、
前記表示制御手順は、画像属性により前記表示用画像を選択するための複数の属性ボタンを表示するボタン表示手順を含み、
前記優先順位設定手順は、使用者によって前記属性ボタンが押下された場合には、押下されたボタンに応じた属性を有する表示用画像を抽出して、抽出した前記表示用画像に対応する画像ファイルのファイル名を前記待ち行列に既に登録されている前記ファイル名の後に登録することを特徴とする画像転送プログラム。
【請求項７】
請求項２〜６のいずれか一項に記載の画像転送プログラムにおいて、
前記表示制御手順は、前記表示用画像の一覧と同一画面上に、前記待ち行列に登録した前記画像ファイルのファイル名を、その優先順位が高いものから順番に一覧表示することを特徴とする画像転送プログラム。
【請求項８】
請求項７に記載の画像転送プログラムにおいて、
前記優先順位設定手順は、前記画面上で、使用者からの前記待ち行列に登録した前記画像ファイルのファイル名の表示順の変更を受け付け、変更後の表示順に基づいて、前記画像ファイルのファイル名の前記待ち行列への登録順を変更することを特徴とする画像転送プログラム。
【請求項９】
請求項７または８に記載の画像転送プログラムにおいて、
前記優先順位設定手順は、前記画像ファイル取得手順で前記画像ファイルの取得が開始された後に、一覧表示した前記待ち行列に登録した前記画像ファイルのファイル名の内、現在取得中の画像ファイル以外のいずれかの画像ファイルのファイル名が使用者によってダブルクリックされた場合には、ダブルクリックされた前記画像ファイルのファイル名の登録順を、前記現在取得中の画像ファイルのファイル名の次に移動することを特徴とする画像転送プログラム。
【請求項１０】
請求項７〜９のいずれか一項に記載の画像転送プログラムにおいて、
前記優先順位設定手順は、前記画像ファイル取得手順で前記画像ファイルの取得が開始された後に、一覧表示した前記表示用画像の内、現在取得中の画像ファイルに対応する前記表示用画像以外のいずれかの前記表示用画像が使用者によってダブルクリックされた場合には、そのダブルクリックされた前記表示用画像に対応する画像ファイルのファイル名を、前記現在取得中の画像ファイルのファイル名の次に移動または登録することを特徴とする画像転送プログラム。
【請求項１１】
請求項７〜１０のいずれか一項に記載の画像転送プログラムにおいて、
前記表示制御手順は、使用者によって、一覧表示した前記待ち行列に登録した前記画像ファイルのファイル名の内、いずれかのファイル名が選択された場合には、一覧表示した前記表示用画像内で、選択されたファイル名の画像ファイルに対応する前記表示用画像を明示することを特徴とする画像転送プログラム。
【請求項１２】
請求項７〜１１のいずれか一項に記載の画像転送プログラムにおいて、
前記表示制御手順は、使用者によって、前記待ち行列に登録した前記画像ファイルのファイル名の一覧を縮小表示するように指示された場合には、現在取得中の画像ファイルのファイル名のみを表示してそれ以外の画像ファイルのファイル名は非表示にすることを特徴とする画像転送プログラム。
【請求項１３】
請求項７〜１２のいずれか一項に記載の画像転送プログラムにおいて、
前記表示制御手順は、現在取得中の画像ファイルのファイル名に対応付けて、その画像ファイルの転送状況を示す情報を表示することを特徴とする画像転送プログラム。
【請求項１４】
請求項１〜１３のいずれか一項に記載の画像転送プログラムにおいて、
前記外部機器が複数の場合には、
前記優先順位設定手順は、使用者からの指示に基づいて、前記外部機器の優先順位を設定し、
前記画像ファイル取得手順は、前記外部機器の優先順位、および画像ファイルの優先順位に基づく転送順となるように、複数の前記外部機器のそれぞれから前記画像ファイルを取得することを特徴とする画像転送プログラム。
【請求項１５】
請求項１４に記載の画像転送プログラムにおいて、
前記表示制御手順は、複数の前記外部機器を表すアイコンを表示するアイコン表示手順をさらに含み、それらアイコンの表示順が前記外部機器の優先順位を表すようにし、
前記優先順位設定手順は、使用者による前記アイコンの表示順の入れ替えを受け付けて、その入れ替え結果に基づいて、前記外部機器の優先順位を変更する外部機器優先順位変更手順を含むことを特徴とする画像転送プログラム。
【請求項１６】
請求項１４または１５に記載の画像転送プログラムにおいて、
前記画像ファイル取得手順は、各外部機器から前記画像ファイルを取得する際の画像転送処理に要するリソースを、前記外部機器の優先順位に応じて、各外部機器ごとに割り当てることを特徴とする画像転送プログラム。
【請求項１７】
請求項１〜１６のいずれか一項に記載の画像転送プログラムを実行するためのプログラム実行手段と、
使用者による操作を受け付けるための操作手段と、
前記表示制御手順による出力結果を表示するための表示手段とを備えることを特徴とする画像転送装置。
【発明の詳細な説明】
【技術分野】
【０００１】
本発明は、画像を転送するための画像転送プログラム、および画像転送装置に関する。
【背景技術】
【０００２】
次のような画像処理方法が知られている。この画像処理方法は、あらかじめ決定した画像の転送優先順位をテーブルで管理し、そのテーブルに基づいて、優先順位の高い画像から順番に転送を行う（例えば、特許文献１）。
【０００３】
【特許文献１】特開２００６−２４４２２１号公報
【発明の開示】
【発明が解決しようとする課題】
【０００４】
しかしながら、従来の画像処理方法では、転送優先順位を管理するテーブルに基づいて画像の転送を行なうため、使用者が任意に画像の転送順を設定することができなかった。
【課題を解決するための手段】
【０００５】
本発明による画像転送プログラムは、表示用画像と本画像とを含む複数の画像ファイルが記録されている外部機器から、表示用画像を受信して一覧表示し、一覧表示した表示用画像に対して、使用者からの指示に基づいて、外部機器から画像ファイルを取得する際の優先順位を設定し、設定した優先順位に基づく転送順で外部機器から画像ファイルを取得することを特徴とする。
本発明では、一覧表示した表示用画像の中から、使用者によって選択された表示用画像に対応する画像ファイルのみを取得対象とし、取得対象の画像ファイルのファイル名を、画像ファイルの転送順を管理するための待ち行列に登録し、待ち行列への登録順に基づいて画像ファイルを取得する際の優先順位を設定することが好ましい。
使用者によって、一覧表示した表示用画像のそれぞれに対応付けて表示されているチェックボックスにチェックが入れられたときに、その表示用画像に対応する画像ファイルのファイル名を待ち行列の最後に登録するようにしてもよい。
使用者によって、一覧表示した表示用画像の内、いずれかの表示用画像がダブルクリックされた場合には、そのダブルクリックされた表示用画像に対応する画像ファイルのファイル名を待ち行列の先頭に登録するようにしてもよい。
使用者によって、複数の表示用画像が選択された後、選択されたいずれかの表示用画像に対応付けて表示されたチェックボックスにチェックが入れられたときに、選択された全ての表示用画像に対応する画像ファイルのファイル名を待ち行列に既に登録されているファイル名の後に登録するようにしてもよい。
画像属性により表示用画像を選択するための複数の属性ボタンを表示し、使用者によって属性ボタンが押下された場合には、押下されたボタンに応じた属性を有する表示用画像を抽出して、抽出した表示用画像に対応する画像ファイルのファイル名を待ち行列に既に登録されているファイル名の後に登録するようにしてもよい。
表示用画像の一覧と同一画面上に、待ち行列に登録した画像ファイルのファイル名を、その優先順位が高いものから順番に一覧表示するようにしてもよい。
画面上で、使用者からの待ち行列に登録した画像ファイルのファイル名の表示順の変更を受け付け、変更後の表示順に基づいて、画像ファイルのファイル名の待ち行列への登録順を変更するようにしてもよい。
画像ファイルの取得が開始された後に、一覧表示した待ち行列に登録した画像ファイルのファイル名の内、現在取得中の画像ファイル以外のいずれかの画像ファイルのファイル名が使用者によってダブルクリックされた場合には、ダブルクリックされた画像ファイルのファイル名の登録順を、現在取得中の画像ファイルのファイル名の次に移動するようにしてもよい。
画像ファイルの取得が開始された後に、一覧表示した表示用画像の内、現在取得中の画像ファイルに対応する表示用画像以外のいずれかの表示用画像が使用者によってダブルクリックされた場合には、そのダブルクリックされた表示用画像に対応する画像ファイルのファイル名を、現在取得中の画像ファイルのファイル名の次に移動または登録するようにしてもよい。
使用者によって、一覧表示した待ち行列に登録した画像ファイルのファイル名の内、いずれかのファイル名が選択された場合には、一覧表示した表示用画像内で、選択されたファイル名の画像ファイルに対応する表示用画像を明示するようにしてもよい。
使用者によって、待ち行列に登録した画像ファイルのファイル名の一覧を縮小表示するように指示された場合には、現在取得中の画像ファイルのファイル名のみを表示してそれ以外の画像ファイルのファイル名は非表示にするようにしてもよい。
現在取得中の画像ファイルに対応付けて、その画像ファイルの転送状況を示す情報を表示するようにしてもよい。
外部機器が複数の場合には、使用者からの指示に基づいて、外部機器の優先順位を設定し、外部機器の優先順位、および画像ファイルの優先順位に基づく転送順となるように、複数の外部機器のそれぞれから画像ファイルを取得するようにしてもよい。
複数の外部機器を表すアイコンを表示し、それらアイコンの表示順が外部機器の優先順位を表すようにし、使用者によるアイコンの表示順の入れ替えを受け付けて、その入れ替え結果に基づいて、外部機器の優先順位を変更するようにしてもよい。
各外部機器から画像ファイルを取得する際の画像転送処理に要するリソースを、外部機器の優先順位に応じて、各外部機器ごとに割り当てるようにしてもよい。
本発明による画像転送装置は、上記画像転送プログラムを実行するためのプログラム実行手段と、使用者による操作を受け付けるための操作手段と、出力結果を表示するための表示手段とを備えることを特徴とする。
【発明の効果】
【０００６】
本発明によれば、使用者は、任意に画像の転送順を設定することができる。
【発明を実施するための最良の形態】
【０００７】
―第1の実施の形態―
図１は、第1の実施の形態における画像転送装置の一実施の形態の構成を示すブロック図である。画像評価装置１００は、例えばパソコン（パーソナルコンピュータ）であって、操作部材１０１と、接続ＩＦ（インターフェース）１０２と、制御装置１０３と、ＨＤＤ（ハードディスクドライブ）１０４と、モニタ１０５とを備えている。
【０００８】
操作部材１０１は、使用者によって操作される種々の装置、例えばキーボードやマウスを含む。接続ＩＦ１０２は、デジタルカメラなどの外部機器を接続するためのインターフェースであって、例えばデジタルカメラと有線接続を行うためのＵＳＢインターフェースや、無線接続を行うための無線ＬＡＮモジュールなどが使用される。本実施の形態では、例えば、この接続ＩＦ１０２を介してデジタルカメラから画像データが取り込まれる。
【０００９】
ＨＤＤ１０４は、接続ＩＦ１０２を介して取り込まれた画像データや、制御装置１０３で実行される種々のプログラム等を記録するための記録装置である。モニタ１０５は、例えば液晶モニタであって、制御装置１０３から出力される種々の表示用データが表示される。
【００１０】
制御装置１０３は、ＣＰＵ、メモリ、およびその他の周辺回路によって構成され、表示制御部１０３ａと、画像取得部１０３ｂとを機能的に備えている。表示制御部１０３ａは、接続ＩＦ１０２を介してデジタルカメラが接続されたことを検出した場合には、デジタルカメラが備える記録媒体、例えば内部メモリや外部メモリに記録されている画像の表示用データ（表示用画像）を取得して、モニタ１０５に一覧表示する。
【００１１】
例えば、デジタルカメラの記憶媒体には、本画像とともに、本画像に基づいて生成された表示用画像、例えば本画像を縮小して生成されたサムネイル画像を付加情報として含む画像ファイルが記録されている。表示制御部１０３ａは、記録媒体に記録されている画像ファイル内から当該表示用画像を読み込んで、モニタ１０５に一覧表示する。例えば、表示制御部１０３ａは、図２に示すような転送画面をモニタ１０５に表示し、当該転送画面内にデジタルカメラから取得した表示用画像を一覧表示する。
【００１２】
使用者は、この図２に示す転送画面上で、デジタルカメラから画像転送装置１００に取り込む画像を選択する。この図２に示す転送画面内は、表示用画像を一覧表示するための画像表示領域２ａと、使用者によって転送対象として選択された画像ファイルの転送順を管理するためのキュー（待ち行列）情報を表示するための転送キュー領域２ｂとで構成されている。さらに転送画面上には、使用者が転送開始を指示するための転送開始ボタン（Ｓｔａｒｔ  Ｔｒａｎｓｆｅｒ）２ｃが配置されている。
【００１３】
画像表示領域２ａ内には、各表示用画像に対応付けて、画像ファイルのファイル名、および各画像ファイルを転送対象とするか否かを選択するためのチェックボックスが表示されている。使用者は、操作部材１０１に含まれるマウスを操作して、このチェックボックスにチェックを入れてオンすることによって、その表示用画像に対応する画像ファイルを転送対象として選択することができる。
【００１４】
表示制御部１０３ａは、使用者によって転送対象の画像が選択されると、選択された画像のファイル名を転送キュー領域２ｂ内に登録して表示する。すなわち、使用者によって選択された表示用画像に対応する画像ファイルのファイル名を、画像転送順を管理するためのキューに登録し、その登録状況を転送キュー領域２ｂ内に表示する。
【００１５】
例えば、図３に示すように、３枚の表示用画像に対応するチェックボックスがオンされた場合には、転送キュー領域２ｂ内に３枚の画像のファイル名、すなわちＤＳＣＮ０００２．ＪＰＧ、ＤＳＣＮ０００３．ＪＰＧ、およびＤＳＣＮ０００６．ＪＰＧを登録する。なお、使用者によって複数の画像が順番に選択された場合には、後に選択された画像のファイル名が１番下に追加するように順番に登録していく。これによって、使用者は、チェックボックスをオンすることによって選択された表示用画像に対応する画像ファイルのファイル名を、画像の転送順を管理するキューの一番最後に登録することができる。
【００１６】
使用者は、図４に示すように、マウスを操作して画像表示領域２ａ内に表示されている表示用画像をクリックすることによって、画像表示領域２ａ内に表示された表示用画像を選択することができる。使用者によって選択された表示用画像は枠で囲まれてハイライト表示される。また、使用者は、マウスを操作して表示用画像をダブルクリックすることによって、その表示用画像に対応する画像ファイルのファイル名を転送キュー領域２ｂ内の一番上に登録することができる。すなわち、使用者は、表示用画像をダブルクリックすることによって、その表示用画像に対応する画像ファイルのファイル名を、キューの先頭に登録することができる。
【００１７】
また、使用者は、図５に示すように、マウスを操作して複数の表示用画像を選択した後、その選択した表示用画像のいずれか１つに対応するチェックボックスをチェックすることにより、選択した複数の表示用画像のそれぞれに対応するチェックボックスをまとめてオンすることができる。これによって、使用者は転送キュー領域２ｂ内にファイル名を登録したい表示用画像を複数選択した後に、いずれかのチェックボックスをオンするだけで、複数の画像のファイル名を一括して転送キュー領域２ｂ内に既に登録されているファイル名の後に登録することができる。
【００１８】
また、画像表示領域２ａ内に画像選択用ボタン６ａを設けておき、使用者による当該画像選択用ボタン６ａの操作に基づいて、転送キュー領域２ｂ内にファイル名を登録するようにしてもよい。この画像選択用ボタン６ａは、画像属性により表示用画像を選択するための属性ボタンであって、使用者によって画像選択用ボタン６ａが押下された場合には、押下されたボタンに応じた属性を有する表示用画像を抽出して、抽出した表示用画像に対応する画像ファイルのファイル名を転送キュー領域２ｂ内に既に登録されているファイル名の後に登録することができる。
【００１９】
例えば、図６に示す例では、画像選択用ボタン６ａとしては、全選択ボタン６ａ−１、転送マークつき画像選択ボタン６ａ−２、プロテクト画像選択ボタン６ａ−３、選択解除ボタン６ａ−４とが配置されている。
【００２０】
使用者によって、全選択ボタン６ａ−１が選択された場合には、表示制御部１０３ａは、画像表示領域２ａ内に表示されている全ての表示用画像を自動的に選択して、転送キュー領域２ｂ内に既に登録されているファイル名の後に各ファイルのファイル名を登録する。
【００２１】
使用者によって転送マークつき画像選択ボタン６ａ−２が選択された場合には、表示制御部１０３ａは、デジタルカメラ側であらかじめ転送対象として選択されている画像のみを自動的に選択して、転送キュー領域２ｂ内に既に登録されているファイル名の後に各ファイルのファイル名を登録する。なお、デジタルカメラ側では、記憶媒体であるメモリカード内に、あらかじめ転送対象として選択された画像のファイル名を記録したリストファイルが記録されている。表示制御部１０３ａは、このリストファイルをデジタルカメラから取得して、リストファイル内に登録されている画像のファイル名を転送キュー領域２ｂ内に登録する。
【００２２】
使用者によってプロテクト画像選択ボタン６ａ−３が選択された場合には、表示制御部１０３ａは、デジタルカメラ側であらかじめプロテクト対象（保護対象）として設定されている画像のみを自動的に選択して、転送キュー領域２ｂ内に既に登録されているファイル名の後に各ファイルのファイル名を登録する。なお、デジタルカメラ側であらかじめプロテクト対象として設定された画像の画像ファイルには、プロテクト対象として設定された旨を示す情報が付加情報として付加されており、表示制御部１０３ａは、この情報が付加されている画像のみを抽出して転送キュー領域２ｂ内にファイル名を登録する。
【００２３】
使用者によって選択解除ボタン６ａ−４が選択された場合には、表示制御部１０３ａは、既に他のボタンが操作されることによって、転送対象として選択されている画像の選択を解除する。すなわち、転送キュー領域２ｂ内に登録されているファイル名をクリアする。
【００２４】
使用者は、上述したように転送キュー領域２ｂ内に転送対象の画像のファイル名を登録した状態で、図７に示すように転送開始ボタン２ｃを押下することにより、転送対象の画像の転送開始を指示することができる。画像取得部１０３ｂは、使用者によって画像の転送開始が指示された場合には、転送キュー領域２ｂ内に登録されているファイル名に従って、接続ＩＦ１０２を介して、デジタルカメラから転送対象の画像の取り込みを開始する。このとき、画像取得部１０３ｂは、転送キュー領域２ｂにファイル名が登録されている順番に、画像の転送を行う。すなわち、転送キュー領域２ｂ内の一番上に登録されているファイル名の画像から順番に画像の取り込みを開始する。また、表示制御部１０３ａは、転送開始ボタン２ｃを転送停止ボタン（Ｓｔｏｐ  Ｔｒａｎｓｆｅｒ）２ｄに変更する。
【００２５】
画像取得部１０３ｂによる画像の取り込みが開始されると、表示制御部１０３ａは、転送画面上に画像の転送状況を表示する。例えば、画像表示領域２ａ内に表示されているチェックボックスのうち、転送中の画像の表示用画像に対応するチェックボックス内に転送中であることを示すマーク（転送中マーク）を表示する。また、転送キュー領域２ｂ内の転送中の画像のファイル名に対応付けて、画像の転送の進行状況を示すインジケータを表示する。図７は、「ＤＳＣＮ０００２．ＪＰＧ」というファイル名の画像が転送中であることを示しており、当該画像に対応するチェックボックスには、転送中マーク７ａが表示され、転送キュー領域２ｂ内にはインジケータ７ｂが表示されている。
【００２６】
このようにして画像の転送が開始された後にも、使用者は、新たに画像表示領域２ａ内から表示用画像を選択して転送キュー領域２ｂに登録することができる。例えば、図８に示すように、使用者は、画像表示領域２ａ内で新たに転送対象として追加したい表示用画像をマウスを操作して選択し、その表示用画像を転送キュー領域２ｂ内へドラッグアンドドロップする。これによって、画像の転送中であっても新たに転送対象画像を転送キュー領域２ｂ内に登録することができる。なお、図８は、新たにファイル名が「ＤＳＣＮ０００７」の画像を転送対象として追加した例を示している。
【００２７】
また、使用者は、画像の転送中に画像の転送順序を入れ替えることができる。例えば、図９に示すように、使用者は、転送キュー領域２ｂ内で、ファイル名（ＤＳＣＮ０００７）をドラッグアンドドロップすることによって、転送順を任意の位置に移動することができる。この他、図１０に示すように、使用者が転送キュー領域２ｂ内でいずれかのファイル名をダブルクリックすることによって、そのファイルの転送順が転送中のファイルの次になるように、そのファイル名の転送キュー領域２ｂ内における位置を移動するようにしてもよい。
【００２８】
また、図１１に示すように、画像表示領域２ａ内で表示用画像をダブルクリックすることによって、その表示用画像に対応する画像ファイルの転送順が転送中のファイルの次になるように、そのファイル名の転送キュー領域２ｂ内における位置を移動するようにしてもよい。なお、図１１に示す場合においては、使用者がダブルクリックした表示用画像が転送キュー領域２ｂ内に登録されていない場合には、その表示用画像に対応するファイルの転送順が、転送中のキューの次になるように、ファイル名を転送キュー領域２ｂ内に登録するようにしてもよい。
【００２９】
画像取得部１０３ｂは、このようにして使用者によって転送キュー領域２ｂ内に登録されたファイル名に応じた順番で画像ファイルを取り込んでいき、全てのファイルの取り込みが終了した時点で、転送処理を終了する。また、画像取得部１０３ｂは、使用者によって転送停止ボタン２ｄが押下された場合にも転送処理を終了する。
【００３０】
なお、転送キュー領域２ｂの大きさは、使用者が任意に拡大、縮小できるようにしてもよい。例えば、図１２に示すように、転送キュー領域２ｂ内に縮小ボタン１２ａを配置しておき、使用者が当該縮小ボタン１２ａをマウスを操作してクリックした場合には、表示制御部１０３ａは、図１３に示すように転送キュー領域２ｂを縮小表示する。
【００３１】
この縮小表示時においては、転送キュー領域２ｂ内には、現在転送中の画像ファイルのファイル名および転送状況を示すインジケータのみを表示するようにし、転送待ちのファイルに関する情報は非表示にする。このとき、表示制御部１０３ａは、転送キュー領域２ｂが縮小されたのに伴って、画像表示領域２ａの大きさを大きくする。これによって、使用者はより多くの表示用画像を１画面内で閲覧することができるようになる。
【００３２】
また、この図１３に示すように、転送キュー領域２ｂを縮小表示した場合には、転送キュー領域２ｂ内に拡大ボタン１３ａを配置しておき、使用者が当該拡大ボタン１３ａをマウスを操作してクリックすると、表示制御部１０３ａは、転送キュー領域２ｂの縮小表示を解除して、転送キュー領域２ｂ、および画像表示領域２ａの大きさを元に戻す。すなわち、表示制御部１０３ａは、転送画面を図１２で上述した状態に戻す。
【００３３】
図１４は、第１の実施の形態における画像転送装置１００の処理を示すフローチャートである。図１４に示す処理は、接続ＩＦ１０２を介してデジタルカメラが接続された場合に起動するプログラムとして、制御装置１０３によって実行される。
【００３４】
ステップＳ１０において、表示制御部１０３ａは、デジタルカメラの記録媒体に記録されている画像ファイルから表示用画像を読み込んで、ステップＳ２０へ進む。ステップＳ２０では、表示制御部１０３ａは、表示用画像、画像ファイルのファイル名、および各画像ファイルを転送対象とするか否かを選択するためのチェックボックスを表示した画像表示領域２ａと、転送対象の画像のファイル名を表示する転送キュー領域２ｂとを含む転送画面をモニタ１０５に表示する。その後、ステップＳ３０へ進む。
【００３５】
ステップＳ３０では、表示制御部１０３ａは、図３〜図６で上述したいずれかの方法により、転送対象画像のキューへの登録指示があったか否かを判断する。すなわち、画像表示領域２ａに表示されている表示用画像一覧の中から、転送キュー領域２ｂに登録する画像が選択されたか否かを判断する。肯定判断した場合には、ステップＳ４０へ進み、表示制御部１０３ａは、使用者によって選択された画像のファイル名を転送キュー領域２ｂ内に登録して、ステップＳ５０へ進む。一方、否定判断した場合には、そのままステップＳ５０へ進む。
【００３６】
ステップＳ５０では、画像取得部１０３ｂは、使用者によって転送開始ボタン２ｃが押下されることにより、画像の転送開始が指示されたか否かを判断する。否定判断した場合にはステップＳ３０へ戻り、肯定判断した場合にはステップＳ６０へ進む。ステップＳ６０では、画像取得部１０３ｂは、キューに登録されている一番最初の画像、すなわち転送キュー領域２ｂ内の一番上に表示されているファイル名の画像の取り込みを開始する。その後、ステップＳ７０へ進む。
【００３７】
ステップＳ７０では、表示制御部１０３ａは、図７に示したように、画像の転送状況を示す情報として、転送中マーク７ａとインジケータ７ｂを転送画面上に表示して、ステップＳ８０へ進む。ステップＳ８０では、図８および図１１で上述したように、使用者によって、転送対象画像のキューへの追加が指示されたか否かを判断する。肯定判断した場合には、ステップＳ９０へ進み、表示制御部１０３ａは、使用者によって追加指示があった画像ファイルのファイル名を転送キュー領域２ｂに登録して、ステップＳ１００へ進む。一方、否定判断した場合には、そのままステップＳ１００へ進む。
【００３８】
ステップＳ１００では、表示制御部１０３ａは、図９〜図１１で上述したように、使用者によって画像の転送順序の変更が指示されたか否かを判断する。肯定判断した場合には、ステップＳ１１０へ進み、表示制御部１０３ａは、使用者による指示に基づいて、転送キュー領域２ｂ内に登録されているファイル名の表示位置を入れ替えて、ステップＳ１２０へ進む。一方、否定判断した場合には、そのままステップＳ１２０へ進む。
【００３９】
ステップＳ１２０では、表示制御部１０３ａは、図１２で上述したように、使用者によって縮小ボタン１２ａが操作されることによって、転送キュー領域２ｂの縮小表示が指示されたか否かを判断する。肯定判断した場合には、ステップＳ１３０へ進み、表示制御部１０３ａは、転送キュー領域２ｂを縮小表示して、ステップＳ１４０へ進む。一方、否定判断した場合には、そのままステップＳ１４０へ進む。
【００４０】
ステップＳ１４０では、表示制御部１０３ａは、図１３で上述したように、使用者によって拡大ボタン１３ａが操作されることによって、転送キュー領域２ｂの拡大表示が指示されたか否かを判断する。肯定判断した場合には、ステップＳ１５０へ進み、表示制御部１０３ａは、転送キュー領域２ｂを拡大表示して、ステップＳ１６０へ進む。一方、否定判断した場合には、そのままステップＳ１６０へ進む。
【００４１】
ステップＳ１６０では、画像取得部１０３ｂは、現在転送中の画像の転送が終了したか否かを判断する。否定判断した場合には、ステップＳ１７０へ進み、画像取得部１０３ｂは、使用者によって転送停止ボタン２ｄが押下されることによって、画像の転送が中止されたか否かを判断する。肯定判断した場合には、ステップＳ１８０へ進み、画像取得部１０３ｂは、転送中の画像の転送を停止した後、処理を終了する。これに対して、否定判断した場合には、ステップＳ８０へ戻る。
【００４２】
一方、ステップＳ１６０で肯定判断した場合には、ステップＳ１９０へ進む。ステップＳ１９０では、画像取得部１０３ｂは、キューに登録されている全ての画像の転送が完了したか否かを判断する。肯定判断した場合には、処理を終了する。これに対して、否定判断した場合には、ステップＳ２００へ進む。ステップＳ２００では、画像取得部１０３ｂは、キューに登録されている次の画像の転送を開始して、ステップＳ７０へ戻る。
【００４３】
以上説明した第１の実施の形態によれば、以下のような作用効果を得ることができる。
（１）表示用画像と本画像とを含む複数の画像ファイルが記録されている外部機器であるデジタルカメラから、表示用画像を受信して転送画面上に一覧表示し、一覧表示した表示用画像に対して、使用者からの指示に基づいて、デジタルカメラから画像ファイルを取得する際の優先順位を設定し、設定した優先順位に基づく転送順でデジタルカメラから画像ファイルを取得するようにした。これによって、使用者は、任意に画像の転送順を設定することができる。
【００４４】
（２）一覧表示した表示用画像の中から、使用者によって選択された表示用画像に対応する画像ファイルのみを取得対象とし、取得対象の画像ファイルのファイル名を、転送キュー領域２ｂに登録して画像ファイルの転送順を管理するための待ち行列（キュー）に登録し、キューへの登録順に基づいて画像ファイルを取得する際の優先順位を設定するようにした。これによって、画像ファイルの転送順をキューによって管理することができる。
【００４５】
（３）使用者によって、一覧表示した表示用画像のそれぞれに対応付けて表示されているチェックボックスにチェックが入れられたときに、その表示用画像に対応する画像ファイルのファイル名を転送キュー領域２ｂ内の最後に登録するようにした。これによって、使用者はチェックボックスにチェックを入れるだけで容易に画像ファイルのファイル名をキューの最後に登録することができる。
【００４６】
（４）使用者によって、一覧表示した表示用画像の内、いずれかの表示用画像がダブルクリックされた場合には、そのダブルクリックされた表示用画像に対応する画像ファイルのファイル名を転送キュー領域２ｂ内の先頭に登録するようにした。これによって、使用者は表示用画像をダブルクリックするだけで容易に画像ファイルのファイル名をキューの先頭に登録することができる。
（５）使用者によって、複数の表示用画像が選択された後、選択されたいずれかの表示用画像に対応付けて表示されたチェックボックスにチェックが入れられたときに、選択された全ての表示用画像に対応する画像ファイルのファイル名を転送キュー領域２ｂ内に既に登録されているファイル名の後に登録するようにした。これによって、使用者は、あらかじめ選択した複数の画像ファイルのファイル名を、１回のチェックボックスのチェック操作によりキューに登録することができ、利便性が向上する。
【００４７】
（６）画像属性により表示用画像を選択するための複数の属性ボタン６ａ−１〜６ａ−３を転送画面上に配置しておき、使用者によっていずれかの属性ボタンが押下された場合には、押下されたボタンに応じた属性を有する表示用画像を抽出して、抽出した表示用画像に対応する画像ファイルのファイル名を転送キュー領域２ｂ内に既に登録されているファイル名の後に登録するようにした。これによって、使用者は所定の条件に合致した表示用画像を、ボタン操作により一括してキューに登録することができ、利便性が向上する。
【００４８】
（７）転送画面内の転送キュー領域２ｂに、キューに登録した画像ファイルのファイル名を、その優先順位が高いものから順番に一覧表示するようにした。これによって、使用者は、画像の転送順を一目で把握することができる。
【００４９】
（８）使用者からの転送キュー領域２ｂ内での画像ファイルのファイル名の表示順の変更を受け付け、変更後の表示順に基づいて、画像ファイルのファイル名のキューへの登録順を変更するようにした。これによって、使用者はファイル名をキューに登録した後であっても、自由にその登録順を変更することができる。
【００５０】
（９）画像ファイルの取得が開始された後に、転送キュー領域２ｂ内で現在取得中の画像ファイル以外のいずれかの画像ファイルのファイル名が使用者によってダブルクリックされた場合には、ダブルクリックされた画像ファイルのファイル名のキューへの登録順を、現在取得中の画像ファイルのファイル名の次に移動するようにした。これによって、使用者は転送の優先順位を上げたい画像のキューへの登録順を容易に変更することができる。
【００５１】
（１０）画像ファイルの取得が開始された後に、画像表示領域２ａ内で現在取得中の画像ファイルに対応する表示用画像以外のいずれかの表示用画像が使用者によってダブルクリックされた場合には、そのダブルクリックされた表示用画像に対応する画像ファイルのファイル名のキューへの登録順を、現在取得中の画像ファイルのファイル名の次に移動または登録するようにした。これによって、使用者は転送の優先順位を上げたい画像のキューへの登録順を容易に変更することができる。また、転送を開始した後に、優先的に転送したい画像を容易にキューに登録することができる。
【００５２】
（１１）使用者によって、転送キュー領域２ｂ内に登録した画像ファイルのファイル名の一覧を縮小表示するように指示された場合には、現在取得中の画像ファイルのファイル名のみを表示してそれ以外の画像ファイルのファイル名は非表示にするようにした。これによって、画像表示領域２ａの大きさを相対的に大きくすることができ、使用者はより多くの表示用画像を１画面内で閲覧することができるようになる。
【００５３】
（１２）現在取得中の画像ファイルに対応付けて、その画像ファイルの転送状況を示す情報、すなわち転送中マーク７ａおよびインジケータ７ｂを表示するようにした。これによって、使用者は画像ファイルの転送状況を視覚的に把握することができる。
【００５４】
―第２の実施の形態―
第２の実施の形態では、画像転送装置に複数台のデジタルカメラを接続して、それぞれのデジタルカメラから画像を取得する場合の処理について説明する。なお、第２の実施の形態では、図１に示した画像転送装置のブロック図については、第１の実施の形態と同様のため、説明を省略する。
【００５５】
本実施の形態では、接続ＩＦ１０２を介して複数のデジタルカメラと接続することができる。例えば、接続ＩＦ１０２がＵＳＢインターフェースである場合には、複数のポートを備えており、各ポートを介して複数のデジタルカメラを接続することができる。また、接続ＩＦ１０２が無線ＬＡＮモジュールである場合には、無線通信により複数のデジタルカメラと接続することができる。なお、画像転送装置１００は、ＵＳＢインターフェースと無線ＬＡＮモジュールとを備えるようにし、あるデジタルカメラはＵＳＢインターフェースを介して有線接続し、あるデジタルカメラは無線ＬＡＮモジュールを介して無線接続するようにしてもよい。
【００５６】
表示制御部１０３ａは、接続ＩＦ１０２を介して複数のデジタルカメラが接続されたことを検出した場合には、各デジタルカメラが備える記録媒体に記録されている画像ファイルから表示用画像をそれぞれ取得する。そして、図１５に示すような転送画面をモニタ１０５に表示する。この図１５に示す転送画面は、接続されているカメラの優先順位を指定するためのカメラ優先順位指定用領域１５ａと、画像表示領域２ａと、転送キュー領域２ｂとを含んでいる。なお、図１５は、既に画像の転送が開始された後の転送画面を示しているため、転送画面上には転送停止ボタン２ｄが表示されているが、転送開始前の状態では、第１の実施の形態と同様に転送開始ボタン２ｃが表示されている。
【００５７】
図１５に示す転送画面においては、使用者は、カメラ優先順位指定用領域１５ａ内に表示されている、接続されている各デジタルカメラを表すアイコンをマウスを操作してクリックすることによって選択することができる。使用者によっていずれかのアイコンが選択されると、表示制御部１０３ａは、選択されたアイコンに対応するデジタルカメラから読み込んだ表示用画像を画像表示領域２ａ内に一覧表示する。
【００５８】
図１５は、カメラＡ、カメラＢ、およびカメラＣの３台のデジタルカメラが接続ＩＦ１０２を介して接続されている場合の転送画面の具体例を示している。そして、例えば、使用者によってカメラ優先順位指定用領域１５ａ内でカメラＡのアイコンが選択された場合には、表示制御部１０３ａは、画像表示領域２ａ内にはカメラＡから読み込まれた表示用画像を一覧表示する。
【００５９】
使用者は、この転送画面上で、第１の実施の形態と同様の操作を行うことにより、画像表示領域２ａ内に表示されている表示用画像に対応する画像ファイルのファイル名を転送キュー領域２ｂに追加することによって、転送対象画像をキューに追加することができる。なお、転送開始前の転送キュー領域２ｂへのファイル名の登録方法、転送開始後の転送キュー領域２ｂへのファイル名の追加方法、および転送開始後の転送順序の変更方法については、第１の実施の形態と同様のため、説明を省略する。
【００６０】
使用者は、カメラ優先順位指定用領域１５ａ内でデジタルカメラの選択状況を切り替えながら、画像表示領域２ａ内で画像を選択することで、各デジタルカメラから取り込む転送対象画像をそれぞれ選択していく。このとき、転送キュー領域２ｂには、使用者によって登録された順番に画像のファイル名が登録されていく。そして、第１の実施の形態と同様に、使用者による順序の変更指示に基づいて表示順が変更される。なお、図１５に示す例では、転送キュー領域２ｂ内に表示される各ファイル名の前には、どのデジタルカメラに記録されている画像であるかが分かるように、カメラ名が表示されている。
【００６１】
使用者は、この転送キュー領域２ｂ内におけるファイル名の表示順、すなわちキューへの登録順を、カメラ優先順位指定用領域１５ａで指定されているカメラの優先順位に応じた順序に変更することができる。すなわち、本実施の形態では、カメラ優先順位指定用領域１５ａ内における各カメラのアイコンの表示順が各カメラの優先順位を表しており、その優先順位が高いものから順番に左から表示されている。例えば、図１５に示す例では、カメラＡの優先順位が最も高く、その後、カメラＢ、カメラＣの順に優先順位が低くなっていることを示している。
【００６２】
このカメラの優先順位は、図１６に示すように、カメラ優先順位指定用領域１５ａ内にある優先順変更用チェックボックス１６ａがオンされることによって有効になる。そして、使用者は、この優先順変更用チェックボックス１６ａをオンにした状態で、各デジタルカメラの優先順位を変更することができる。具体的には、使用者は、カメラ優先順位指定用領域１５ａ内に表示されているアイコンをマウスを操作してドラッグアンドドロップして、カメラ優先順位指定用領域１５ａ内におけるアイコンの表示位置を入れ替える。例えば、図１６に示すように、カメラＣのアイコン１６ｂをドラッグし、図１７に示すように左端に移動させることによって、カメラＣの優先順位を最も高く設定することができる。
【００６３】
このようにカメラＣの優先順位が最も高く設定されることによって、図１７に示すように、現在転送中の画像ファイル（カメラＡの「ＤＳＣＮ０００１．ＪＰＧ」）の次に、カメラＣに記録されている転送対象画像（カメラＣの「ＤＳＣＮ０００１．ＪＰＧ」）が表示されるようになる。そして、その後、２番目に優先順位が高いカメラＡに記録されている画像、３番目に優先順位が高いカメラＣに記録されている画像の順に、キューの登録順が変更される。以上の処理によって、使用者は、デジタルカメラの優先順位を変更することができ、さらにその優先順位に応じてキューへの登録順を入れ替えることができる。
【００６４】
また、画像取得部１０３ｂは、優先順変更用チェックボックス１６ａがオンされてデジタルカメラの優先順位が有効になった場合には、転送時の処理に要する画像転送装置１００のリソースを、優先順位に応じたリソースとなるように、各カメラごとに割り当てる。図１８は、各デジタルカメラから画像を取得するに当たっての転送時の処理に要するリソースの割り当て状況を模式的に示した図である。
【００６５】
カメラの優先順位が有効になっていない状態では、画像取得部１０３ｂは、各デジタルカメラから画像を取得するに当たっての転送時の処理に要するリソースは、各カメラごとに均等に割り当てておく。すなわち、図１８（ａ）に示すように、カメラＡ用処理用のリソース、カメラＢ用処理用のリソース、およびカメラＣ用処理用のリソースを均等に割り当てておく。
【００６６】
これに対して、カメラの優先順位が有効になった場合には、画像取得部１０３ｂは、優先順位が最も高いカメラから画像を取得するに当たっての転送時の処理に要するリソースを優先的に割り当てるようにする。すなわち、図１８（ｂ）に示すように、カメラＣ用処理用のリソースを、カメラＡ用処理用のリソース、およびカメラＢ用処理用のリソースよりも多く割り当てるようにする。これによって、優先順位が高く設定されているデジタルカメラからの画像を優先して、高速に取得することができるようになる。
【００６７】
なお、図１５〜図１７で上述したように、複数のデジタルカメラから画像を取得するに当たっては、取得する画像ファイルのファイル名は、各デジタルカメラでそれぞれに付与されたものであるため、ファイル名の重複が生じる可能性がある。例えば、図１５〜図１７で上述した例では、カメラＡ、Ｂ、Ｃのそれぞれに「ＤＳＣＮ０００１．ＪＰＧ」というファイル名の画像ファイルがあり、これらは重複している。
【００６８】
よって、本実施の形態では、画像取得部１０３ｂは、ＨＤＤ１０４内に各デジタルカメラ用のフォルダをそれぞれ作成しておき、デジタルカメラから取得した画像を、その転送元のデジタルカメラ用のフォルダに記録するようにする。すなわち、ＨＤＤ１０４内には、カメラＡ用のフォルダ、カメラＢ用のフォルダ、およびカメラＣ用のフォルダをそれぞれ作成しておく。そして、カメラＡから取得した画像ファイルはカメラＡ用のフォルダ内に、カメラＢから取得した画像ファイルはカメラＢ用のフォルダ内に、カメラＣから取得した画像ファイルはカメラＣ用のフォルダ内にそれぞれ記録するようにする。
【００６９】
なお、このように各デジタルカメラ用のフォルダを設けずに、画像取得部１０３ｂがファイル名の重複が生じた場合には、重複を避けるためにファイル名をリネームした上で、１つのフォルダ内に全てのデジタルカメラから取得した画像をまとめて記録するようにしてもよい。
【００７０】
図１９は、第２の実施の形態における画像転送装置１００の処理を示すフローチャートである。図１９に示す処理は、接続ＩＦ１０２を介して複数のデジタルカメラが接続された場合に起動するプログラムとして、制御装置１０３によって実行される。なお、図１９においては、第１の実施の形態で上述した図１４における処理と同様の処理については同じステップ番号を付与し、相違点を中心に説明する。
【００７１】
ステップＳ２１において、表示制御部１０３ａは、使用者によってカメラ優先順位指定用領域１５ａ内でいずれかのアイコンが選択されたか否かを判断する。肯定判断した場合には、ステップＳ２２へ進み、表示制御部１０３ａは、選択されたアイコンに対応するデジタルカメラから読み込んだ表示用画像を画像表示領域２ａ内に表示するように、画像表示領域２ａ内の表示を更新して、ステップＳ３０へ進む。一方、否定判断した場合には、そのままステップＳ３０へ進む。
【００７２】
ステップＳ１１１では、表示制御部１０３ａは、使用者によってカメラ優先順位指定用領域１５ａ内にある優先順変更用チェックボックス１６ａがオンされてデジタルカメラの優先順位が有効にされた後、カメラ優先順位指定用領域１５ａ内でアイコン位置が変更されることによって、デジタルカメラの優先順位が変更されたか否かを判断する。肯定判断した場合には、ステップＳ１１２へ進み、表示制御部１０３ａは、変更後のデジタルカメラの優先順位に基づいて、転送キュー領域２ｂ内に登録されているファイル名の表示位置を入れ替えて、ステップＳ１２０へ進む。一方、否定判断した場合には、そのままステップＳ１２０へ進む。
【００７３】
以上説明した第２の実施の形態によれば、第１の実施の形態における作用効果に加えて、以下のような効果を得ることができる。
（１）デジタルカメラが複数の場合には、使用者からの指示に基づいて、デジタルカメラの優先順位を設定し、デジタルカメラの優先順位、および画像ファイルの優先順位に基づく転送順となるように、複数のデジタルカメラのそれぞれから画像ファイルを取得するようにした。これによって、画像ファイルの転送元となるデジタルカメラが複数存在する場合に、デジタルカメラの優先順位も加味して画像の転送順を設定することができる。
【００７４】
（２）複数のデジタルカメラを表すアイコンを表示し、それらアイコンの表示順がデジタルカメラの優先順位を表すようにし、使用者によるアイコンの表示順の入れ替えを受け付けて、その入れ替え結果に基づいて、デジタルカメラの優先順位を変更するようにした。これによって、使用者は容易にデジタルカメラの優先順位を変更することができる。
【００７５】
（３）各デジタルカメラから画像ファイルを取得する際の画像転送処理に要するリソースを、デジタルカメラの優先順位に応じて、各デジタルカメラごとに割り当てるようにした。これによって、優先順位が高く設定されているデジタルカメラからの画像を優先して、高速に取得することができるようになる。
【００７６】
―変形例―
なお、上述した実施の形態の画像転送装置は、以下のように変形することもできる。
（１）上述した第２の実施の形態では、画像の転送開始後にデジタルカメラの優先順位を変更する場合について説明したが、画像の転送開始前にデジタルカメラの優先順位の変更を受け付けるようにしてもよい。この場合、使用者によって優先順変更用チェックボックス１６ａがオンされると、表示制御部１０３ａは、優先順位が高く設定されているデジタルカメラに記録されている画像がキューの上位にくるように、転送キュー領域２ｂ内の表示を変更する。
【００７７】
（２）上述した第１および第２の実施の形態では、転送画面上に画像表示領域２ａと転送キュー領域２ｂとを表示するようにし、使用者によって画像表示領域２ａで選択された表示用画像に対応する画像ファイルのファイル名を転送キュー領域２ｂに登録するようにした。この場合、転送キュー領域２ｂに登録されているファイル名を使用者が選択すると、選択されたファイル名に対応する表示用画像を画像表示領域２ａ内で明示するようにしてもよい。例えば、選択されたファイル名に対応する表示用画像を枠で囲ったり、点滅表示させたり、拡大表示したりするようにしてもよい。これによって、使用者は、選択したファイル名と、一覧表示されている表示用画像との対応関係を把握することができる。
【００７８】
また、使用者によって画像表示領域２ａ内でいずれかの表示用画像が選択された場合に、その表示用画像に対応する画像ファイルのファイル名が既に転送キュー領域２ｂに登録されている場合には、転送キュー領域２ｂ内で選択された表示用画像に対応する画像ファイルのファイル名を明示するようにしてもよい。例えば、選択された表示用画像に対応する画像ファイルのファイル名を枠で囲ったり、点滅表示させたりするようにしてもよい。これによって、使用者は、選択した表示用画像と、キューに登録されているファイル名との対応関係を把握することができる。
【００７９】
（３）上述した第１および第２の実施の形態では、画像転送装置１００としてパソコンを用いる例について説明した。しかしながら、デジタルカメラとの通信を行うことができる他の外部機器を画像転送装置として用いるようにしてもよい。
【００８０】
なお、本発明の特徴的な機能を損なわない限り、本発明は、上述した実施の形態における構成に何ら限定されない。
【図面の簡単な説明】
【００８１】
【図１】画像転送装置の一実施の形態の構成を示すブロック図である。
【図２】第１の実施の形態における転送画面の具体例を示す第１の図である。
【図３】第１の実施の形態における転送画面の具体例を示す第２の図である。
【図４】第１の実施の形態における転送画面の具体例を示す第３の図である。
【図５】第１の実施の形態における転送画面の具体例を示す第４の図である。
【図６】第１の実施の形態における転送画面の具体例を示す第５の図である。
【図７】第１の実施の形態における転送画面の具体例を示す第６の図である。
【図８】第１の実施の形態における転送画面の具体例を示す第７の図である。
【図９】第１の実施の形態における転送画面の具体例を示す第８の図である。
【図１０】第１の実施の形態における転送画面の具体例を示す第９の図である。
【図１１】第１の実施の形態における転送画面の具体例を示す第１０の図である。
【図１２】第１の実施の形態における転送画面の具体例を示す第１１の図である。
【図１３】第１の実施の形態における転送画面の具体例を示す第１２の図である。
【図１４】第１の実施の形態における画像転送装置１００の処理を示すフローチャート図である。
【図１５】第２の実施の形態における転送画面の具体例を示す第１の図である。
【図１６】第２の実施の形態における転送画面の具体例を示す第２の図である。
【図１７】第２の実施の形態における転送画面の具体例を示す第３の図である。
【図１８】第２の実施の形態における各カメラごとの転送処理に割り当てるリソースの具体例を示す図である。
【図１９】第２の実施の形態における画像転送装置１００の処理を示すフローチャート図である。
【符号の説明】
【００８２】
１００  画像評価装置、１０１  操作部材、１０２  接続ＩＦ、１０３  制御装置、１０３ａ  表示制御部、１０３ｂ  画像取得部、１０４  ＨＤＤ、１０５  モニタ
【図１】
2009048520.tif 000003
【図２】
2009048520.tif 000004
【図３】
2009048520.tif 000005
【図４】
2009048520.tif 000006
【図５】
2009048520.tif 000007
【図６】
2009048520.tif 000008
【図７】
2009048520.tif 000009
【図８】
2009048520.tif 000010
【図９】
2009048520.tif 000011
【図１０】
2009048520.tif 000012
【図１１】
2009048520.tif 000013
【図１２】
2009048520.tif 000014
【図１３】
2009048520.tif 000015
【図１４】
2009048520.tif 000016
【図１５】
2009048520.tif 000017
【図１６】
2009048520.tif 000018
【図１７】
2009048520.tif 000019
【図１８】
2009048520.tif 000020
【図１９】
2009048520.tif 000021